(57)【要約】【課題】用紙方向が揃わない印刷文書の作成を防ぐことができる印刷装置を提供することを課題とする。【解決手段】選択トレイで用紙切れが発生した状況下において、クロスソートがオフの場合（ステップＳ５１でＮｏ）、デジタル複写機１は、各給紙トレイの優先順位に基づいて選択トレイを切り替える（ステップＳ５２）。また、クロスソートがオンであり、同条件の給紙トレイがある場合（ステップＳ５３でＹｅｓ）、デジタル複写機１は同条件の給紙トレイを選択トレイに切り替える（ステップＳ５４）。一方、同条件の給紙トレイがなく、他の給紙トレイがある場合（ステップＳ５５でＹｅｓ）、デジタル複写機１は他の給紙トレイを選択トレイに切り替える（ステップＳ５７）。他の給紙トレイがあるが、用紙方向の変更ができない場合（ステップＳ５６でＮｏ）、デジタル複写機１は、選択トレイの再設定ができないと判断する（ステップＳ５９）。【選択図】図３
2009073586.tif 000002
【特許請求の範囲】
【請求項１】
複数の給紙トレイを有し、使用中の給紙トレイで用紙切れが発生した場合、各給紙トレイに割り当てられた優先順位に基づいて代替の給紙トレイを選択する印刷装置であって、
出力順序が指定された複数の画像データを有する原稿データを記憶する記憶部と、
前記出力順序に従って前記複数の画像データを印刷する印刷部と、
前記原稿データを複数部印刷する場合、前記印刷部に記録紙を供給する給紙トレイを、第１の方向に配置された記録紙を格納する第１の給紙トレイと、第２の方向に配置された記録紙を格納する第２の給紙トレイとに１部ごとに切り替える給紙トレイ設定部と、
を備え、
前記第１の給紙トレイで用紙切れが発生した場合、前記給紙トレイ設定部は、前記優先順位に関係なく、前記第１の方向に配置された記録紙を格納する第３の給紙トレイを前記代替の給紙トレイとして選択することを特徴とする印刷装置。
【請求項２】
請求項１に記載の印刷装置において、
前記給紙トレイ設定部は、前記代替の給紙トレイとして前記第３の給紙トレイを選択できない場合、前記第２の方向に配置された記録紙を格納する給紙トレイを前記代替の給紙トレイとして選択することを特徴とする印刷装置。
【請求項３】
請求項２に記載の印刷装置において、さらに、
前記第２の方向に配置された記録紙を格納する給紙トレイを前記代替の給紙トレイとして選択するかどうかを、ユーザが設定するための操作部、
を備えることを特徴とする印刷装置。
【発明の詳細な説明】
【技術分野】
【０００１】
本発明は、電子ソート機能を有するデジタル複写機あるいはプリンタ装置などの印刷装置に関する。
【背景技術】
【０００２】
デジタル複写機あるいはネットワークプリンタなどの印刷装置は、複数ページの原稿をコピーして複数部のコピー文書を作成する際に、コピー文書を１部ずつまとめて出力する電子ソート機能を有している。電子ソート機能を利用することによって、ユーザはコピー文書の仕分け作業を簡略化することができる。
【０００３】
具体的には、デジタル複写機は、複数ページの原稿を１ページずつ読み取って画像データを作成して、メモリに蓄積する。メモリに蓄積された画像データは、読み取られた順に印刷用紙に印刷される。これにより、原稿と同じページ順序のコピー文書が１部作成される。デジタル複写機は、上述の印刷処理をユーザが指定したコピー部数に応じて繰り返すことによって、電子ソート機能を実現している。
【０００４】
また、デジタル複写機は、電子ソート機能を利用して複数部のコピー文書を作成する場合、コピー文書の出力方向を１部ごとにＳｈｏｒｔ  Ｅｄｇｅ  Ｆｅｅｄ（ＳＥＦ）方向とＬｏｎｇ  Ｅｄｇｅ  Ｆｅｅｄ（ＬＥＦ）方向とに切り替えるクロスソートを行う。これにより、複数部のコピー文書において各部の区切りが明確になるため、ユーザは、コピー文書を１部ずつ仕分けする作業を容易に行うことができる。
【０００５】
ＳＥＦ方向は、印刷用紙の搬送方向と印刷用紙の長辺方向とが一致する方向であり、印刷用紙の縦方向に相当する。また、ＬＥＦ方向は、印刷用紙の搬送方向と印刷用紙の短辺方向とが一致する方向であり、印刷用紙の横方向に相当する。
【０００６】
このように、デジタル複写機は、ＬＥＦ方向の印刷用紙を格納した給紙トレイと、ＳＥＦ方向の印刷用紙を格納した給紙トレイとを用いて、クロスソートを実行する。しかし、上述の二つの給紙トレイのうちいずれか一方で用紙切れが発生した場合、デジタル複写機は、クロスソートを利用したコピー文書の作成を中断しなければならなかった。
【０００７】
そこで、クロスソートの実行中に用紙切れが発生しても印刷文書の作成を継続できる画像形成装置が、たとえば特許文献１に開示されている。特許文献１が開示する画像形成装置は、クロスソートの実行中に用紙切れが発生した場合、用紙切れが発生していない給紙トレイのみを用いて、印刷文書の作成を継続する。このとき、特許文献１が開示する画像形成装置は、１部ごとに画像データを１８０°回転させて印刷文書を出力する反転ソートを実行する。
【０００８】
【特許文献１】特開平９−１２７７４２号公報
【発明の開示】
【発明が解決しようとする課題】
【０００９】
また、印刷処理中に用紙切れが発生した場合、予め設定された選択基準に基づいて代わりの給紙トレイを設定する印刷装置がある。具体的には、複数の給紙トレイに対してそれぞれ優先順位を割り当てておく。印刷文書の作成中に用紙切れが発生した場合、印刷装置は、印刷処理に用いていた印刷用紙と同一サイズの印刷用紙を格納する給紙トレイのうち優先順位が一番高い給紙トレイを、代わりの給紙トレイとして設定する。
【００１０】
しかし、クロスソートの実行中に用紙切れが発生した際に、優先順位に基づいて代わりの給紙トレイを選択することにより、以下のような問題が発生する。つまり、印刷用紙を格納する方向が、選択された給紙トレイと用紙切れが発生した給紙トレイとで異なる場合、用紙方向が揃わない印刷文書が１部出力される。この結果、用紙方向が揃わない印刷文書において用紙方向が切り替わる部分を、ユーザが部の区切りと誤認するおそれがあった。また、特許文献１が開示する画像形成装置においても、用紙切れの発生に伴って用紙方向の揃わない印刷文書が作成されるため、同様の問題が発生する。
【００１１】
そこで、本発明は前記問題点に鑑み、用紙方向が揃わない印刷文書の作成を防ぐことができる印刷装置を提供することを目的とする。
【課題を解決するための手段】
【００１２】
上記課題を解決するため、請求項１記載の発明は、複数の給紙トレイを有し、使用中の給紙トレイで用紙切れが発生した場合、各給紙トレイに割り当てられた優先順位に基づいて代替の給紙トレイを選択する印刷装置であって、出力順序が指定された複数の画像データを有する原稿データを記憶する記憶部と、前記出力順序に従って前記複数の画像データを印刷する印刷部と、前記原稿データを複数部印刷する場合、前記印刷部に記録紙を供給する給紙トレイを、第１の方向に配置された記録紙を格納する第１の給紙トレイと、第２の方向に配置された記録紙を格納する第２の給紙トレイとに１部ごとに切り替える給紙トレイ設定部と、を備え、前記第１の給紙トレイで用紙切れが発生した場合、前記給紙トレイ設定部は、前記優先順位に関係なく、前記第１の方向に配置された記録紙を格納する第３の給紙トレイを前記代替の給紙トレイとして選択することを特徴とする。
【００１３】
請求項２記載の発明は、請求項１に記載の印刷装置において、前記給紙トレイ設定部は、前記代替の給紙トレイとして前記第３の給紙トレイを選択できない場合、前記第２の方向に配置された記録紙を格納する給紙トレイを前記代替の給紙トレイとして選択することを特徴とする。
【００１４】
請求項３記載の発明は、請求項２に記載の印刷装置において、さらに、前記第２の方向に配置された記録紙を格納する給紙トレイを前記代替の給紙トレイとして選択するかどうかを、ユーザが設定するための操作部、を備えることを特徴とする。
【発明の効果】
【００１５】
本発明の印刷装置は、第１の用紙トレイと第２の用紙トレイとを用いたクロスソートの実行中に第１の用紙トレイで用紙切れが発生した場合、優先順位と関係なく、第１の用紙トレイと同条件の第３の用紙トレイを代替の用紙トレイとして選択する。これにより、本発明の印刷装置は、クロスソートの実行中に用紙切れが発生しても、用紙方向が揃わない印刷文書を作成することを防ぐことができる。
【発明を実施するための最良の形態】
【００１６】
以下、図面を参照しつつ本発明の一実施の形態について説明する。ここでは、本発明の印刷装置の一例として、デジタル複写機を例にして説明する。図１は、本実施の形態に係るデジタル複写機の構成を示すブロック図である。
【００１７】
まず、図１に示すデジタル複写機１の構成について説明する。デジタル複写機１は、制御部１１と、操作部１２と、タッチパネル式ディスプレイ１３と、スキャナ部１４と、給紙トレイ１５１、１５２、１５３、１５４と、給紙部１６と、プリンタ部１７とを備える。なお、図１に示すデジタル複写機１では、本実施の形態の説明で必要な機能部を示しており、各給紙トレイにおける用紙の有無を検出するセンサなどの表示を省略している。
【００１８】
制御部１１は、マイクロプロセッサ、メインメモリ（ＲＡＭ）などを含み、デジタル複写機１の全体制御を行う。また、制御部１１は、画像データメモリ１１１と、給紙トレイ設定部１１２と、画像処理部１１３とを有する。
【００１９】
操作部１２は、デジタル複写機１に対する各種の指示を入力するためのハードウェアキーなどで構成される。タッチパネル式ディスプレイ１３は、デジタル複写機１に関する情報、および各種の操作メニューを表示する。ユーザは、操作部１２およびタッチパネル式ディスプレイ１３（以下、「本体操作部」という）を利用して、デジタル複写機１の各種操作をすることが可能である。
【００２０】
スキャナ部１４は、オートドキュメントフィーダ（図示省略）等にセットされた原稿を１ページずつ読み取り、１ページごとの画像データを作成する。また、スキャナ部１４は、原稿の用紙サイズおよび原稿の読み取り方向を検知し、制御部１１に通知する。
【００２１】
給紙トレイ１５１〜１５４は、様々なサイズの印刷用紙を格納する。また、給紙トレイ１５１〜１５４には、それぞれ優先順位が設定されている。本実施の形態では、給紙トレイ１５１および１５３には、ＬＥＦ方向のＡ４用紙が格納されており、給紙トレイ１５２および１５４には、ＳＥＦ方向のＡ４用紙が格納されていると仮定する。
【００２２】
給紙部１６は、給紙トレイ設定部１１２の指示に基づいて、給紙トレイ１５１〜１５４のうちいずれか一つを選択する。給紙部１６は、給紙部１６が選択した給紙トレイ（以下、「選択トレイ」という）から、印刷用紙をプリンタ部１７に供給する。プリンタ部１７は、選択トレイから供給された印刷用紙に、各ページの画像データを印刷する。
【００２３】
次に、制御部１１が有する各機能部について説明する。画像データメモリ１１１は、スキャナ部１４が作成した１ページごとの画像データを記憶する。なお、画像データメモリ１１１は、制御部１１のＲＡＭ（図示省略）の記憶領域を一部利用してもよい。あるいは、画像データメモリ１１１は、ハードディスク装置などで構成されてもよい。
【００２４】
給紙トレイ設定部１１２は、給紙トレイ１５１〜１５４に関する処理を行う。具体的には、給紙トレイ設定部１１２は、原稿の用紙サイズあるいはユーザによって指定された用紙サイズなどに基づいて選択トレイを決定する。給紙トレイ設定部１１２は、選択トレイで用紙切れが発生した場合、選択トレイを再設定する。
【００２５】
また、給紙トレイ設定部１１２は、ユーザによってクロスソートを利用したコピー文書の作成が指示された場合、クロスソートで使用する二つの給紙トレイ（以下、「指定トレイ」という）を設定する。なお、指定トレイとして設定される二つの給紙トレイは、同一サイズの印刷用紙を格納しているが、印刷用紙を格納する方向が異なる。
【００２６】
画像処理部１１３は、給紙部１６によって供給される印刷用紙の方向と、画像データメモリ１１１に記憶された画像データの方向とを一致させるために、画像データの回転処理を行う。
【００２７】
次に、給紙トレイ１５１〜１５４とプリンタ部１７との位置関係について説明する。給紙トレイ１５１〜１５４は、上側から給紙トレイ１５１、１５２、１５３、１５４の順でデジタル複写機１に収納されている。プリンタ部１７は、給紙トレイ１５１の上側に設置されている。このため、各給紙トレイからプリンタ部１７までの印刷用紙の搬送経路は、下側に位置する給紙トレイほど長くなる。すなわち、給紙トレイ１５１の搬送経路が一番短く、給紙トレイ１５４の搬送経路が一番長くなる。
【００２８】
次に、各給紙トレイに設定されている優先順位について説明する。優先順位とは、選択トレイで用紙切れが発生した際に、選択トレイを再設定する基準となる情報である。各給紙トレイに設定される優先順位は、給紙トレイ設定部１１２によって管理される。
【００２９】
優先順位を各給紙トレイに割り当てる基準は様々であるが、本実施の形態では、搬送経路が短い順にしたがって、優先順位が各給紙トレイに割り当てられている場合を例にして説明する。すなわち、搬送経路が一番短い給紙トレイ１５１の優先順位が一番となる。以下、優先順位は、給紙トレイ１５２、１５３、１５４の順に二番、三番、四番となる。
【００３０】
次に、デジタル複写機１が複数部のコピー文書を作成する際の動作について、図２を用いて説明する。図２は、デジタル複写機１がコピー文書を作成する際の動作を示すフローチャートである。なお、コピー文書とは、原稿の全ページをコピーして出力したものであり、コピー部数の１部に相当する。
【００３１】
まず、ユーザが、スキャナ部１４に原稿をセットし、本体操作部を操作してコピーの設定情報を入力する。コピーの設定情報とは、たとえば、コピー倍率、コピー濃度、コピー文書の出力形式あるいはコピー部数などである。入力されたコピーの設定情報は、制御部１１のＲＡＭ（図示省略）に記憶される。
【００３２】
コピーの設定情報の入力後、ユーザが本体操作部を操作してコピー開始を指示することによって、デジタル複写機１は、図２に示す処理を開始する。すなわち、デジタル複写機１は、原稿を読みとって画像データを作成する（ステップＳ１）。
【００３３】
具体的には、スキャナ部１４が原稿を１ページずつ読み取り、各ページに対応する画像データを作成する。なお、原稿がＬＥＦ方向にセットされた場合、スキャナ部１４は、ＬＥＦ方向の画像データを作成する。各ページに対応する原稿データは、読み込んだ順序と対応付けられて画像データメモリ１１１に記憶される。
【００３４】
次に、給紙トレイ設定部１１２は、スキャナ部１４が検知した原稿の用紙サイズと、コピーの設定情報とに基づいて、選択トレイを設定する（ステップＳ２）。なお、コピー文書の出力形式としてクロスソートが設定されている場合、給紙トレイ設定部１１２は、原稿の用紙サイズなどに基づいて指定トレイを選択する。その後、給紙トレイ設定部１１２は、指定トレイとして設定された二つの給紙トレイのうち、ＬＥＦ方向の印刷用紙を格納した給紙トレイを選択トレイとして設定する。
【００３５】
ステップＳ２に示す処理の後で、デジタル複写機１は、１部目のコピー文書の作成を開始する。プリンタ部１７は、制御部１１によって指定された画像データを、選択トレイから供給される印刷用紙に印刷する（ステップＳ３）。このとき、制御部１１は、スキャナ部１４が読み込んだページの順序に基づいて、画像データメモリ１１１が記憶する画像データの中から印刷する画像データを指定する。
【００３６】
なお、印刷用紙の方向と画像データの方向とが一致しない場合、画像処理部１１３が画像データの回転処理を行う。たとえば、選択トレイとして給紙トレイ１５２が設定されており、画像データの方向がＬＥＦ方向である場合、給紙トレイ１５２が格納するＡ４用紙の方向（ＳＥＦ方向）と画像データの方向（ＬＥＦ方向）とが一致しない。この場合、画像処理部１１３が指定された画像データを９０°回転させた後で、プリンタ部１７が、回転処理が行われた画像データをＳＥＦ方向のＡ４用紙に印刷する。
【００３７】
ステップＳ３に示す処理の後で、選択トレイで用紙切れが発生していない場合（ステップＳ４においてＮｏ）、制御部１１は、印刷した画像データが最終ページに対応するかどうかを確認する（ステップＳ８）。印刷した画像データが最終ページに対応しない場合（ステップＳ８においてＮｏ）、制御部１１は、次のページに対応する画像データを印刷するために、ステップＳ３に示す処理に戻る。デジタル複写機１は最終ページに対応する画像データを印刷するまで、上述の処理を繰り返す。これにより、デジタル複写機１は、各ページの方向がＬＥＦ方向またはＳＥＦ方向に揃ったコピー文書を１部作成することができる。なお、選択トレイで用紙切れが発生した場合（ステップＳ４においてＹｅｓ）の処理については、後述する。
【００３８】
一方、印刷した画像データが最終ページに対応する場合（ステップＳ８においてＹｅｓ）、制御部１１は、コピー文書を１部作成したと判断し、指定されたコピー部数を印刷したかどうかを確認する（ステップＳ９）。指定されたコピー部数を印刷した場合（ステップＳ９においてＹｅｓ）、デジタル複写機１は、図２に示す処理を終了する。一方、指定されたコピー部数を印刷していない場合（ステップＳ９においてＮｏ）、制御部１１は、コピー文書の出力形式がクロスソートに設定されているかどうかを確認する（ステップＳ１０）。
【００３９】
クロスソートが設定されていない場合（ステップＳ１０おいてＮｏ）、制御部１１は先頭ページに対応する画像データを印刷するために、ステップＳ３に示す処理に戻る。一方、クロスソートが設定されている場合（ステップＳ１０においてＹｅｓ）、給紙部１６は、選択トレイの切り替えを行う（ステップＳ１１）。たとえば、指定トレイとして給紙トレイ１５１および１５２が設定され、選択トレイとして給紙トレイ１５１が設定されていた場合、給紙部１６は、給紙トレイ設定部１１２の指示に基づいて、選択トレイを給紙トレイ１５２に切り替える。制御部１１は、先頭ページに対応する画像データを印刷するために、ステップＳ３に示す処理に戻る。
【００４０】
次に、選択トレイで用紙切れが発生した場合（ステップ４においてＹｅｓ）における、デジタル複写機１の動作について説明する。
【００４１】
ステップＳ３に示す処理の後で、選択トレイで用紙切れが発生した場合（ステップＳ４においてＹｅｓ）、制御部１１は選択トレイの再設定処理を行う（ステップＳ５）。以下選択トレイの再設定処理について図３を用いて説明する。図３は、ステップＳ５に示す選択トレイの再設定処理における、デジタル複写機１の動作を示すフローチャートである。
【００４２】
最初に、給紙トレイ設定部１１２は、クロスソートが設定されているかどうかを確認する（ステップＳ５１）。クロスソートが設定されていない場合（ステップＳ５１においてＮｏ）、給紙トレイ設定部１１２は、給紙トレイ１５１〜１５４に設定された優先順位と、コピー文書の作成に用いていた印刷用紙のサイズとに基づいて、選択トレイを切り替え（ステップＳ５２）、図３に示す処理を終了する。
【００４３】
たとえば、選択トレイとして給紙トレイ１５２が設定されていた場合を考える。この場合、給紙トレイ設定部１１２は、優先順位に基づいて、Ａ４用紙を格納する給紙トレイのうち、搬送経路が一番短い給紙トレイ１５１を、新たな選択トレイとして再設定する。
【００４４】
一方、クロスソートが設定されている場合（ステップＳ５１においてＹｅｓ）、給紙トレイ設定部１１２は、選択トレイと同条件の給紙トレイがあるかどうかを確認する（ステップＳ５３）。
【００４５】
同条件の給紙トレイがある場合（ステップＳ５３においてＹｅｓ）、給紙トレイ設定部１１２は、同条件の給紙トレイを選択トレイに切り替え（ステップＳ５４）、図３に示す処理を終了する。たとえば、指定トレイとして給紙トレイ１５１および１５２が設定され、選択トレイとして給紙トレイ１５１が設定されていた場合を考える。この場合、給紙トレイ設定部１１２は、給紙トレイ１５１に代えて給紙トレイ１５３を選択トレイおよび指定トレイに設定する。
【００４６】
このように、クロスソートが設定された状態で用紙切れが発生した場合、給紙トレイ設定部１１２は、選択トレイの切り替えに際して優先順位を参照せずに、選択トレイの再設定処理を行う。これにより、選択トレイで用紙切れが発生しても、デジタル複写機１はクロスソートを利用したコピー文書の作成を継続することができる。
【００４７】
一方、同条件の給紙トレイがない場合（ステップＳ５３においてＮｏ）、給紙トレイ設定部１１２は、コピー文書の作成に使用している印刷用紙と同一サイズの印刷用紙を格納する他の給紙トレイがあるかどうかを確認する（ステップＳ５５）。
【００４８】
他の給紙トレイがある場合（ステップＳ５５においてＹｅｓ）、給紙トレイ設定部１１２は、選択トレイを再設定する際に用紙方向の変更が許可されているかどうかを確認する（ステップＳ５６）。具体的には、用紙方向の揃わないコピー文書の作成の可否を設定する許可情報が、給紙トレイ設定部１１２に予め設定されている。給紙トレイ設定部１１２は、許可情報を参照して、用紙方向の揃わないコピー文書の作成が許可されているかどうかを確認する。なお、許可情報は、ユーザが本体操作部を介して変更してもよい。
【００４９】
用紙方向の変更が許可されている場合（ステップＳ５６においてＹｅｓ）、給紙トレイ設定部１１２は、他の給紙トレイを選択トレイに切り替える（ステップＳ５７）。給紙トレイ設定部１１２は、クロスソートの設定をオフに変更し（ステップＳ５８）、図３に示す処理を終了する。この場合、ステップＳ５７に示す処理を実行することによって、用紙方向の揃わない印刷文書が一部作成される。
【００５０】
たとえば、指定トレイとして給紙トレイ１５１および１５２が設定され、選択トレイとして給紙トレイ１５１が設定されていた場合を考える。また、給紙トレイ１５３がＬＥＦ方向のＡ４用紙を格納していないと仮定する。この場合、給紙トレイ設定部１１２は、給紙トレイ１５２が他の給紙トレイに該当することを確認する。そして、給紙トレイ１５１に代えて、給紙トレイ１５２が選択トレイおよび指定トレイに設定される。この結果、指定トレイとして設定される給紙トレイの数は１つとなる。給紙トレイ設定部１１２は、クロスソートの実行ができないと判断し、クロスソートの設定をオフに変更する。
【００５１】
また、ステップＳ５６において、用紙方向の変更が許可されていない場合（ステップＳ５６においてＮｏ）、給紙トレイ設定部１１２は、選択トレイの再設定ができないと判断して（ステップＳ５９）する。そして、給紙トレイ設定部１１２は、制御部１１にその旨を通知し、図３に示す処理を終了する。
【００５２】
ここで、ステップＳ５５に示す処理の説明に戻る。他の給紙トレイがなかった場合（ステップＳ５５においてＮｏ）、給紙トレイ設定部１１２は、選択トレイの再設定ができないと判断する（ステップＳ５９）。そして、給紙トレイ設定部１１２は、制御部１１にその旨を通知し、図３に示す処理を終了する。
【００５３】
図３に示す処理の後で、制御部１１は、選択トレイの再設定処理の結果を確認する（ステップＳ６）。選択トレイの再設定がされなかった場合（ステップＳ６においてＮｏ）、制御部１１は、印刷中断処理を実行し（ステップＳ７）、図２に示す処理を終了する。制御部１１は、ステップＳ７に示す印刷中断処理を実行する際、クロスソートを利用したコピー文書の作成ができないことを、タッチパネル式ディスプレイ１３などを介してユーザに通知する。
【００５４】
一方、選択トレイの再設定ができた場合（ステップＳ６においてＹｅｓ）、制御部１１がステップＳ８に示す処理を実行する。なお、ステップＳ５７に示す処理が行われた場合、制御部１１は、コピー文書の作成が完了した後に、用紙方向が揃わない印刷文書が作成されたことをタッチパネル式ディスプレイ１３などを介してユーザに通知する。
【００５５】
以上説明したように、本実施の形態に係るデジタル複写機１は、クロスソートを利用したコピー文書の作成時に選択トレイで用紙切れが発生した場合、予め設定された優先順位と関係なく、選択トレイと同条件の給紙トレイを新たな選択トレイとして設定する。したがって、コピー文書の作成中に用紙切れが発生した際に、用紙方向が揃わない印刷文書を作成することを防ぐことができる。
【００５６】
また、デジタル複写機１は、選択トレイと同条件の給紙トレイがない場合、用紙方向が揃わない印刷文書を作成したことをユーザに通知する。これにより、用紙方向が揃わない印刷文書における、用紙方向が切り替わる部分を部の区切りとユーザが誤認する可能性を小さくすることができる。
【００５７】
なお、本実施の形態において、デジタル複写機を例として説明したが、ネットワークプリンタなどに本実施の形態で説明した処理を適用してもよい。
【００５８】
また、本実施の形態のステップＳ５７（図３参照）に示す処理において、他の給紙トレイとして給紙トレイ１５２を選択トレイとして再設定する場合を例にして説明したが、これに限られない。たとえば、給紙トレイ１５４を選択トレイとして再設定してもよい。この場合、給紙トレイ設定部１１２は、同一方向にＡ４用紙を格納する二つの給紙トレイ（給紙トレイ１５２および１５４）が指定トレイとして設定されるために、クロスソートを実行できないと判断する。
【００５９】
また、本実施の形態のステップＳ５５（図３参照）に示す処理において、他の給紙トレイに該当する給紙トレイが複数存在する場合、給紙トレイ設定部１１２は、優先順位に基づいて選択トレイの再設定を行えばよい。たとえば、給紙トレイ１５２および１５４が他の給紙トレイに該当する場合、優先順位が上位の給紙トレイ１５２を選択トレイとして再設すればよい。
【００６０】
また、本実施の形態において、搬送経路の長さを基準として、給紙トレイ１５１〜１５４に優先順位を割り当てる場合を例にして説明したが、これに限られない。たとえば、プリンタ部１７が印刷処理をする際において画像の回転処理が必要かどうかを、優先順位を割り当てる基準としてもよい。また、ＬＥＦ方向の印刷用紙を格納した給紙トレイを、優先的に選択トレイとして割り当ててもよい。
【図面の簡単な説明】
【００６１】
【図１】本実施の形態に係るデジタル複写機の構成を示すブロック図である。
【図２】デジタル複写機１がコピー文書を作成する際の動作を示すフローチャートである。
【図３】選択トレイの再設定処理における、デジタル複写機１の動作を示すフローチャートである。
【符号の説明】
【００６２】
１  デジタル複写機
１１  制御部
１２  操作部
１３  タッチパネル式ディスプレイ
１４  スキャナ部
１６  給紙部
１７  プリンタ部
１１１  画像データメモリ
１１２  給紙トレイ設定部
１１３  画像処理部
１５１、１５２、１５３、１５４  給紙トレイ
【図１】
2009073586.tif 000003
【図２】
2009073586.tif 000004
【図３】
2009073586.tif 000005